(57)【要約】    【課題】  収納部を介して見通すことができないためプライバシーが保護できる間仕切家具の提供を提供する。    【解決手段】  第１のスペースと第２のスペースとの間に配置されて、この第１、第２のスペースを区画する間仕切家具であって、前記第１、第２のスペースに向き、かつ互いに平行な第１、第２の化粧面を有するとともに、この第１、第２の化粧面の間に収納部が形成され、前記第１、第２の化粧面は、収納物を出し入れするため収納部に臨んで形成された第１、第２の開口を有し、かつこの第１、第２の開口は、第１、第２の化粧面に垂直な向きに対して位置ズレして設けられたことを特徴とする。【選択図】  図１
2006345902.tif 000002
【特許請求の範囲】
【請求項１】
第１のスペースと第２のスペースとの間に配置されて、この第１、第２のスペースを区画する間仕切家具であって、
前記第１、第２のスペースに向き、かつ互いに平行な第１、第２の化粧面を有するとともに、この第１、第２の化粧面の間に収納部が形成され、
前記第１、第２の化粧面は、収納物を出し入れするため収納部に臨んで形成された第１、第２の開口を有し、かつこの第１、第２の開口は、第１、第２の化粧面に垂直な向きに対して位置ズレして設けられたことを特徴とする間仕切家具。
【請求項２】
前記第１の開口は、第２の開口に対して上方に位置ズレして形成されたことを特徴とする請求項１記載の間仕切家具。
【請求項３】
前記第１の開口は、上端部が枢支されて下部が前後に揺動しうる扉が設けられたことを特徴とする請求項１又は２記載の間仕切家具。
【請求項４】
前記第１、第２の開口は、水平方向に互いに位置ズレして形成されたことを特徴とする請求項１記載の間仕切家具。
【請求項５】
前記収納部は、複数に区分されて分割収納部を形成するとともにこの分割収納部毎に前記第１、第２の開口が設けられ、
前記第１、第２の化粧面は、第１又は第２の開口の周縁部分が、各分割収納部毎に異なる外観に形成されたことを特徴とする請求項１〜４のいずれかに記載の間仕切家具。
【発明の詳細な説明】
【技術分野】
【０００１】
本発明は、住宅などの屋内空間において、異なるスペース間の簡易な仕切りとして配置され、かつ収納機能を具える間仕切家具に関する。
【背景技術】
【０００２】
風呂場に続いた脱衣室、洗濯室、洗面所など水廻りのスペース、或いはクローゼット、子供室、キッチン、及びこれらに通じる廊下などにおいては、間仕切壁を設けて密に仕切る必要性は低く、むしろ家族構成の変化、子供の成長、老齢化に伴なう介護の必要性などの将来の環境変化に備えて、位置変更、撤去を含めた可変の間仕切りが望まれる。他方タオル、下着、靴下など生活の中で頻繁に使用される小物類は、洗濯された後などに、再使用する場所の近くでストックする収納機能があると大変便利に使用できる。
【０００３】
そこで、図７に示すように、内部を収納部ａとして構成された箱状の本体ｂの両側に、前記収納部ａの反対側に臨む開口ｄ、ｄが形成され、この開口ｄ、ｄを各々開閉できる扉ｅ、ｅを設けた間仕切家具が提案されている（例えば、特許文献１参照）。
【０００４】
この間仕切家具は、収納部ａが上下に分割され、しかも上部の収納部ａｕは更に左右に区分されている。また区分された上部の収納部ａｕの片側の領域には、縦に複数の棚板ｆ、ｆが隔設されるとともに他の領域には、縦に並んだスライド箱ｇ、ｇが引き出し可能に設けられる等、多種類の収納物を効率的にストック出来るよう工夫されている。また下部の収納部ａｄには、大型の網かごｈが何れの開口ｄ、ｄからも引き出しできるよう設けられている。
【０００５】
【特許文献１】特開昭５８−１３８４１１号公報
【発明の開示】
【発明が解決しようとする課題】
【０００６】
しかしながら、収納部ａの両側の扉ｅ、ｅは、両側のスペースから各々開閉して使用されるため、同時に開いた場合には収納部ａを通じて相方のスペースを見通すことができる。そのため、特に入浴前後、着替えのタイミングなどにおいては、使用者のプライバシーを損なう危険性が大きく、安心して使用できないという問題がある。更には扉ｅを開くと何れの側にも、収納物が見えるため、下着など他人に見られたくない収納物が、何らの制約なく露呈してしまうという課題を有する。
【０００７】
本発明は、収納部の第１、第２の開口は、第１、第２の化粧面に垂直な向きに対して位置ズレして設けられたことを基本とし、収納部を介して見通すことができないためプライバシーが保護できる間仕切家具の提供を課題としている。
【課題を解決するための手段】
【０００８】
前記目的を達成するために、請求項１に係る発明は、第１のスペースと第２のスペースとの間に配置されて、この第１、第２のスペースを区画する間仕切家具であって、前記第１、第２のスペースに向き、かつ互いに平行な第１、第２の化粧面を有するとともに、この第１、第２の化粧面の間に収納部が形成され、前記第１、第２の化粧面は、収納物を出し入れするため収納部に臨んで形成された第１、第２の開口を有し、かつこの第１、第２の開口は、第１、第２の化粧面に垂直な向きに対して位置ズレして設けられたことを特徴とする。
【０００９】
請求項２に係る発明では、前記第１の開口は、第２の開口に対して上方に位置ズレして形成され、また請求項３に係る発明においては、前記第１の開口は、上端部が枢支されて下部が前後に揺動しうる扉が設けられたことを特徴とする。
【００１０】
請求項４に係る発明において、前記第１、第２の開口は、水平方向に互いに位置ズレして形成され、また請求項５に係る発明では、前記収納部は、複数に区分されて分割収納部を形成するとともにこの分割収納部毎に前記第１、第２の開口が設けられ、前記第１、第２の化粧面は、第１又は第２の開口の周縁部分が、各分割収納部毎に異なる外観に形成されたことを特徴とする。
【発明の効果】
【００１１】
請求項１に係る発明は、第１のスペースと第２のスペースとの間で収納物の受け渡しができるため、作業動線を短縮でき、家事作業などの負担が軽減され、かつ利便性を向上しうる。第１、第２の開口は、位置ズレして設けられるので、収納部を介して見通すことができない。そのため第１、第２のスペース間でプライバシーが保護され、例えば風呂場の脱衣室、クローゼットなどの間仕切として好適に設置できる。同時に照明光の透過が防止されるため、寝室などの生活環境を保護しうる。更に、少なくとも一方のスペースからは、収納物が隠れるため、下着などの見られたくないものが隠される。
【００１２】
請求項２に係る発明では、上方に位置ズレした第１の開口から投入した収納物を、第２の開口から取り出すことができ、便利に使用でき、更に第２のスペースから第２の開口を通して、収納状態を簡単に確認できる。また請求項３に係る発明では、開口が扉に遮蔽されるため、収納部を介して見通すことが更に困難となり、プライバシーがより完全に守られる。同時に音も遮断できるため、例えば、睡眠、音楽鑑賞、勉強などの環境を好適に維持できる。
【００１３】
請求項４に係る発明のように、第１、第２の開口が、水平方向に互いに位置ズレすると、収納物のスライドにより、取り出しが容易に行えて便利に使用でき、しかも洗濯物など収納物が落下によりその状態を乱されることがなく、また請求項５のように構成すると、収納物の利用者が、一目で判別できるため、収納物を取り間違えることなく、便利に使用できる。
【発明を実施するための最良の形態】
【００１４】
以下、本発明の実施の一形態を、図示例とともに説明する。間仕切家具１は、図１に示すように、第１、第２の化粧面Ｆ１、Ｆ２、及びこの第１、第２の化粧面Ｆ１、Ｆ２の間に形成された収納部２とを有する。
【００１５】
また本形態の間仕切家具１は、床２０に載置される基板２１と、この基板２１の両側部から立ち上がる側板２２、２２と、この双方の側板２２、２２の上端部に架け渡された天板２３とで矩形状の外枠体２６が形成される。そしてこの外枠体２６は、その両面に第１、第２の化粧面Ｆ１、Ｆ２が設けられる。前記側板２２、２２の間に、水平で上下に間隔を隔てた複数枚の棚板２４を架け渡し、更にこの棚板２４に対して直角に交差するとともに基板２１から天板２３に向けて立ち上がる複数列の仕切り板２５が設けられる。
【００１６】
前記収納部２は、第１、第２の化粧面Ｆ１、Ｆ２に挟まれた空間に形成される。更に本形態の収納部２は、上下を前記天板２３、棚板２４又は基板２１により区切られるとともに、左右は側板２２、又は仕切り板２５により仕切られて区分された分割収納部２Ａを形成している。
【００１７】
また前記第１、第２の化粧面Ｆ１、Ｆ２は、収納部２に通じ、矩形状をなす第１、第２の開口Ｗ１、Ｗ２が形成される。しかも前記第１の開口Ｗ１は、図２に示すように、上縁が分割収納部２Ａの上端部と整一に揃う高さに配されることにより分割収納部２Ａの上部側に形成され、他方第２の開口Ｗ２は、下縁が分割収納部２Ａの下端部と整一に揃う高さに配されることにより分割収納部２Ａの下部側に形成される。すなわち第１、第２の開口Ｗ１、Ｗ２は、第１、第２の化粧面Ｆ１、Ｆ２に垂直な向きに対して、位置ズレして配置されている。
【００１８】
このように構成された間仕切家具１は、住宅、オフィスなどの屋内空間における第１、第２のスペースＳ１、Ｓ２の間に設置され、これにより双方のスペースが区分される。前記第１、第２のスペースＳ１、Ｓ２には、例えば風呂の脱衣室、洗濯室、クローゼット、子供室、キッチン、及びこれらに通じる廊下などが含まれる。なお図１に示された実施形態では、洗濯室からなる第１のスペースＳ１と、風呂の脱衣室からなる第２のスペースＳ２の間に間仕切家具１が配置され、第１の開口Ｗ１を有する第１の化粧面Ｆ１が第１のスペースＳ１側に向けて設置される。
【００１９】
従って、図２に示すように、洗濯室で洗濯された下着、靴下などの衣類、タオルその他の洗濯物２９は、前記第１の開口Ｗ１から分割収納部２Ａに挿入され、該分割収納部２Ａの底部に積み上げられて収容される。またこの洗濯済の収納物３０は、第２の開口Ｗ２に臨んで収容されるため、第２のスペースＳ２から使用者が目視で必要な収納物３０を選んだ上で取り出すことができ、従って動線を短縮して家事労働を軽減できる上に、収納物３０を簡単に確認して取り出しうる。
【００２０】
しかも収納部２は第１、第２のスペースＳ１、Ｓ２双方に向って開口しているものの、第１、第２の開口Ｗ１、Ｗ２は位置ズレしているので、洗濯室（第１のスペースＳ１）側から風呂の脱衣室（第２のスペースＳ２）を見通すことが出来ないため、プライバシーが保護され安心して使用できる。このことは第１、第２のスペースＳ１、Ｓ２の何れかが、着替えをするクローゼット、或いは寝室などに配置された場合においても同様であり、覗かれることが防止できる点で好ましい。また第１、第２のスペースＳ１、Ｓ２の何れかが寝室の場合には、第１、第２の開口Ｗ１、Ｗ２の位置ズレにより照明光の漏れが防止されるため、安眠できる環境が維持できる点で好ましい。更には第１、第２のスペースＳ１、Ｓ２の一方からは（本形態では第１のスペースＳ１から）、収納物３０自体が見えないため下着など他人には見れたくない収納物３０が隠され、プライバシーを保護できる点で好ましい。
【００２１】
なお本形態の間仕切家具１は、上下二段に複数の分割収納部２Ａが並設されたものが例示され、しかも各第２の開口Ｗ２の上には、分割収納部２Ａ毎に色の異なる第２の化粧面Ｆ２が配されている。従って、家族など複数の使用者が、各自の分割収納部２Ａを決めて利用する場合には、前記色別により一目で自分の収納物３０を判別でき、取り違えが防止され便利に使用できる。
【００２２】
また、前記の如く色分けする他、模様、凹凸などの表面状態、材質などを変えて外観を区別することもできる。これらの外観の変化は、第２の開口Ｗ２周縁の一定巾の領域に設けたり、上縁にのみ配するなど各種の変形が可能である。更に第１の開口Ｗ１の周縁部分も同様にして、異なる外観の第１の化粧面Ｆ１を配すると、洗濯物２９を使用者毎に間違いなく区別して収納しうる点で好ましい。
【００２３】
本形態において、少なくとも一つの分割収納部２Ａは、風呂の脱衣室（第２のスペースＳ２）側から洗濯室（第１のスペースＳ１）に向けた洗濯物の受け渡すに使用するため、第２の開口Ｗ２を上位に配するとともに第１の開口Ｗ１を低位に配すると（図示せず）、洗濯物を運ぶ労力を軽減できる点で好ましい。
【００２４】
本形態の間仕切家具１は、高さが例えば１８００〜２５００ｍｍ程度、巾は２０００〜５０００ｍｍ程度、奥行きは３００〜６００ｍｍ程度に形成される。なお天井高さに略一致した高さとすることにより上部の隙間を無くすと、第１、第２のスペースＳ１、Ｓ２間の独立性を更に高めることができる点で好ましい。
【００２５】
また前記第１、第２の化粧面Ｆ１、Ｆ２、基板２１、側板２２、天板２３、棚板２４及び仕切り板２５は、杉、松、樅、栂などの針葉樹、及びナラ、チーク、ラワンなどの広葉樹を含む木材、集成材、ＬＶＬ（単板積層材）などのエンジニアリングウッドのほか、プラスチック、アルミニウムの押し出し型材、薄鋼板の折り曲げ材などを用いて形成された矩形状のパネルフレームの両面に、ポリエチレン、ポリプロピレン、エチレン酢ビ樹脂（ＥＶＡ）などオレフィン系樹脂、メラミン樹脂、ポリエステル樹脂などの化粧シートを積層した化粧合板を貼り付けたフラッシュパネルが好適に用いられる。この他パーティクルボード、インシュレーションボード、木毛セメント板、オリエンテッドストランドボード（ＯＳＢ）などの基板に、前記と同様の化粧シートで被覆した木質ボード用いることも良い。
【００２６】
図３は、他の実施形態を例示している。以下異なる内容について説明し、それ以外は図中に表れた主要な構成に同じ符号を付すのみとする。本形態の間仕切家具１は、第１の開口Ｗ１に扉３が取り付けられる。この扉３は、上端部を蝶番などの金物を用いて第１の開口Ｗ１の上縁部に取り付け、これにより下部が前後に揺動可能に支持されている。本形態のように、第１の開口Ｗ１を扉３により遮蔽すると、第１、第２のスペースＳ１、Ｓ２間で収納部２を介して見通すことが一層困難となり、脱衣スペースなどにおけるプライバシーを確実に保護できる点で好ましい。同時に第１、第２のスペースＳ１、Ｓ２間における遮音性を向上できるため、寝室、勉強部屋などにおける静寂性を確保でき、またリスニングルームなどにおいて音漏れを抑制しうるなど優れた作用効果を有する。
【００２７】
図４は、更に他の実施形態を例示するもので、第１の開口Ｗ１には、前記と同様の扉３が設けられ、かつ第２の開口Ｗ２は、分割収納部２Ａと略同高さに形成される。そして本形態の扉３は、その裏面下縁から分割収納部２Ａの内部に向かって直角にのびる棚板２７を有し、しかもこの棚板２７には、その先端部から小高さで立ち上がる折曲片２８が形成される。棚板２７上にハンカチ、タオルなどの小物類３１が収納できて収納量が増加する点で好ましい。また扉３が揺動しても、折曲片２８により前記小物類３１の落下を防止できる。
【００２８】
図５に例示される間仕切家具１では、分割収納部２Ａが横長に形成され、かつ前記第１、第２の開口Ｗ１、Ｗ２が、水平方向に位置ズレして設けられている。更に分割収納部２Ａ内に矩形状の収納籠３２が挿入され、この収納籠３２が水平にスライドして、前記第１、第２の開口Ｗ１、Ｗ２に臨む位置の間を往復可能に形成されている。本形態では、第１、第２の開口Ｗ１、Ｗ２の一方から分割収納部２Ａ内に挿入した収納物３０を、他方に向け、水平にスライドして移動させ、更にこれを取り出して使用するため、収納物３０の出し入れの作業がやり易く、しかも洗濯物２９などを落下させることがないためその状態を乱すことなく便利に使用できる。更に前記収納籠３２内に入れて収納物３０を収納することにより、多量の洗濯物２９などを簡単に取り扱うことができる。
【００２９】
更に図６に例示される間仕切家具１では、横長の分割収納部２Ａの略中央部に暖簾状の仕切り３３を垂下している。この仕切り３３により、前記第１、第２の開口Ｗ１、Ｗ２を通じた斜め方向の見通しを遮ることができるため、脱衣室などのプライバシーがより確実に保護される。なお前記仕切り３３は、布、ビニール、紙、縄などを用いて形成される。  
【００３０】
尚、叙上の説明は本発明の実施の形態を例示したものである。従って本発明の技術的範囲はこれに何ら限定されるものではなく、前記した実施の形態の他にも、各種の変形例が含まれる。
【図面の簡単な説明】
【００３１】
【図１】本発明の一実施の形態を例示する斜視図である。
【図２】その要部縦断面図である。
【図３】他の実施形態の要部縦断面図である。
【図４】更に他の実施形態の要部縦断面図である。
【図５】他の実施形態の要部縦断面図である。
【図６】他の実施形態の要部縦断面図である。
【図７】従来例の斜視図である。
【符号の説明】
【００３２】
１      間仕切家具
２      収納部
２Ａ    分割収納部
Ｆ１    第１の化粧面
Ｆ２    第２の化粧面
Ｓ１    第１のスペース
Ｓ２    第２のスペース
Ｗ１    第１の開口
Ｗ２    第２の開口
【図１】
2006345902.tif 000003
【図２】
2006345902.tif 000004
【図３】
2006345902.tif 000005
【図４】
2006345902.tif 000006
【図５】
2006345902.tif 000007
【図６】
2006345902.tif 000008
【図７】
2006345902.tif 000009